【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
複数の信号光を並列に送信する光送信機と、
前記複数の信号光を受信する光受信機と、
を備え、
前記光送信機は、アレイ状に配置された複数の発光素子からなる発光素子群を含む発光部を備え、
前記複数の発光素子は、前記複数の信号光をそれぞれ送信し、
前記複数の信号光の各々は、互いを識別可能にする識別用信号光を含み、
前記光受信機は、
アレイ状に配置された複数の受光素子からなる受光素子群であって前記複数の信号光を受信する前記受光素子群を含み、前記複数の受光素子の各々に入射した光の強度に対応する検出信号が前記複数の受光素子から出力される受光部と、
前記受光部上に前記複数の信号光の像からなる像群を形成すると共に前記像群のサイズを変倍する機構と前記受光部上において前記像群の位置を移動させる機構とを有する光学機構と、
前記複数の信号光が前記複数の受光素子にそれぞれ入射するように、前記複数の受光素子の各々から出力される前記検出信号に基づいて前記光学機構の動作を制御する制御部と、を備え、
前記制御部は、前記光学機構の動作を制御して、
前記受光部上の前記像群を前記受光素子群のサイズより小さいサイズに設定し、
前記複数の信号光の内の予め定められた信号光が前記受光素子群の予め定められた受光素子に入射するように、縮小された前記像群の位置を移動させ、
前記予め定められた信号光が前記予め定められた受光素子に入射したときに、前記縮小された前記像群のサイズを拡大させて、前記複数の受光素子に前記複数の信号光をそれぞれ入射させる
ことを特徴とする光通信システム。
【請求項２】
複数の信号光を並列に送信する光送信機と、
前記複数の信号光を受信する光受信機と、
を備え、
前記光送信機は、アレイ状に配置された複数の発光素子からなる発光素子群を含む発光部を備え、
前記複数の発光素子は、前記複数の信号光をそれぞれ送信し、
前記複数の信号光の各々は、互いを識別可能にする識別用信号光を含み、
前記光受信機は、
アレイ状に配置された複数の受光素子からなる受光素子群であって前記複数の信号光を受信する前記受光素子群を含み、前記複数の受光素子の各々に入射した光の強度に対応する検出信号が前記複数の受光素子から出力される受光部と、
前記受光部上に前記複数の信号光の像からなる像群を形成すると共に前記像群のサイズを変倍する機構と前記受光部上において前記像群の位置を移動させる機構とを有する光学機構と、
前記複数の信号光が前記複数の受光素子にそれぞれ入射するように、前記複数の受光素子の各々から出力される前記検出信号に基づいて前記光学機構の動作を制御する制御部と、を備え、
前記制御部は、前記光学機構の動作を制御して、
前記受光部上の前記像群を前記受光素子群のサイズより小さいサイズに設定し、
前記像群の位置を移動させ、前記複数の信号光の内のいずれかが前記受光素子群のいずれかの受光素子上に入射したときに前記像群の位置の移動を停止させ、
前記複数の信号光の内の予め定められた信号光が前記受光素子群の予め定められた受光素子上に入射するように、縮小された前記像群の位置を移動させ、
前記予め定められた信号光が前記予め定められた受光素子に入射したときに、前記縮小された前記像群のサイズを拡大させて、前記複数の受光素子に前記複数の信号光をそれぞれ入射させる
ことを特徴とする光通信システム。
【請求項３】
複数の信号光を並列に送信する光送信機と、
前記複数の信号光を受信する光受信機と、
を備え、
前記光送信機は、アレイ状に配置された複数の発光素子からなる発光素子群を含む発光部を備え、
前記複数の発光素子は、前記複数の信号光をそれぞれ送信し、
前記複数の信号光の各々は、互いを識別可能にする識別用信号光を含み、
前記光受信機は、
アレイ状に配置された複数の受光素子からなる受光素子群であって前記複数の信号光を受信する前記受光素子群を含み、前記複数の受光素子の各々に入射した光の強度に対応する検出信号が前記複数の受光素子から出力される受光部と、
前記受光部上に前記複数の信号光の像からなる像群を形成すると共に前記像群のサイズを変倍する機構と前記受光部上において前記像群の位置を移動させる機構とを有する光学機構と、
前記複数の信号光が前記複数の受光素子にそれぞれ入射するように、前記複数の受光素子の各々から出力される前記検出信号に基づいて前記光学機構の動作を制御する制御部と、を備え、
前記制御部は、前記光学機構の動作を制御して、
前記受光部上の前記像群を前記受光素子群のサイズより小さいサイズに設定し、
前記像群の位置を移動させ、前記複数の信号光の内のいずれかが前記受光素子群のいずれかの受光素子上に入射したときに前記像群の位置の移動を停止させ、
前記複数の信号光の内の予め定められた信号光が前記受光素子群のいずれかの受光素子上に入射するように、縮小された前記像群の位置を移動させ、
前記複数の信号光の内の予め定められた信号光が前記受光素子群の予め定められた受光素子上に入射するように、前記縮小された前記像群の位置を移動させ、
前記予め定められた信号光が前記予め定められた受光素子に入射したときに、前記縮小された前記像群のサイズを拡大させて、前記複数の受光素子に前記複数の信号光をそれぞれ入射させる
ことを特徴とする光通信システム。
【請求項４】
前記制御部は、前記縮小された前記像群のサイズを拡大させて、前記複数の受光素子に前記複数の信号光をそれぞれ入射させた後に、前記複数の受光素子の各々から出力される前記検出信号に基づいて、前記光学機構の動作を制御して、前記像群の位置を移動させることを特徴とする請求項１から３のいずれか１項に記載の光通信システム。
【請求項５】
前記識別用信号光は、前記複数の信号光毎に固有のパターンを持つパイロット信号光であることを特徴とする請求項１から４のいずれか１項に記載の光通信システム。
【請求項６】
前記光学機構における前記像群の位置を移動させる前記機構は、前記受光部上において前記像群の位置を２次元方向に移動させる機構を含むことを特徴とする請求項１から５のいずれか１項に記載の光通信システム。
【請求項７】
前記光学機構における前記像群のサイズを変倍する前記機構は、前記制御部から受け取るズーム制御信号に基づいて、前記像群のサイズを変倍するズーム機構を含むことを特徴とする請求項１から６のいずれか１項に記載の光通信システム。
【請求項８】
前記光学機構における前記像群の位置を移動させる前記機構は、前記制御部から受け取る移動制御信号に基づいて、前記ズーム機構の光軸に直交する方向に前記ズーム機構の一部を構成するレンズをシフトさせる機構を含むことを特徴とする請求項７に記載の光通信システム。
【請求項９】
前記光学機構における前記像群の位置を移動させる前記機構は、前記制御部から受け取る移動制御信号に基づいて、前記ズーム機構の光軸に直交する方向に前記ズーム機構をシフトさせる機構を含むことを特徴とする請求項７に記載の光通信システム。
【請求項１０】
前記光学機構における前記像群の位置を移動させる前記機構は、前記制御部から受け取る移動制御信号に基づいて、前記像群の位置を移動させる可動ミラー機構を含むことを特徴とする請求項１から９のいずれか１項に記載の光通信システム。
【請求項１１】
前記可動ミラー機構は、
ミラーと、
前記ミラーを第１の軸線を中心に揺動可能に支持する第１の支持部と、
前記第１の支持部を前記第１の軸線に直交する第２の軸線を中心に揺動可能に支持する第２の支持部と、
を有することを特徴とする請求項１０に記載の光通信システム。
【請求項１２】
識別用信号光を含む複数の信号光を並列に受信する光受信機であって、
アレイ状に配置された複数の受光素子からなる受光素子群であって前記複数の信号光を受信する前記受光素子群を含み、前記複数の受光素子の各々に入射した光の強度に対応する検出信号が前記複数の受光素子から出力される受光部と、
前記受光部上に前記複数の信号光の像からなる像群を形成すると共に前記像群のサイズを変倍する機構と前記受光部上において前記像群の位置を移動させる機構とを有する光学機構と、
前記複数の信号光が前記複数の受光素子にそれぞれ入射するように、前記複数の受光素子の各々から出力される前記検出信号に基づいて前記光学機構の動作を制御する制御部と、を備え、
前記制御部は、前記光学機構の動作を制御して、
前記受光部上の前記像群を前記受光素子群のサイズより小さいサイズに設定し、
前記複数の信号光の内の予め定められた信号光が前記受光素子群の予め定められた受光素子に入射するように、縮小された前記像群の位置を移動させ、
前記予め定められた信号光が前記予め定められた受光素子に入射したときに、前記縮小された前記像群のサイズを拡大させて、前記複数の受光素子に前記複数の信号光をそれぞれ入射させる
ことを特徴とする光受信機。
【請求項１３】
識別用信号光を含む複数の信号光を並列に受信するアレイ状に配置された複数の受光素子からなる受光素子群を含む受光部と、前記受光部上に前記複数の信号光の像からなる像群を形成すると共に前記像群のサイズを変倍する機構と前記受光部上において前記像群の位置を移動させる機構とを有する光学機構とを備え、前記複数の受光素子の各々に入射した光の強度に対応する検出信号に基づいて前記光学機構の動作を制御する光受信機における調整方法であって、
前記受光部上の前記像群を前記受光素子群のサイズより小さいサイズに設定するステップと、
前記複数の信号光の内の予め定められた信号光が前記受光素子群の予め定められた受光素子に入射するように、縮小された前記像群の位置を移動させるステップと、
前記予め定められた信号光が前記予め定められた受光素子に入射したときに、前記縮小された前記像群のサイズを拡大させて、前記複数の受光素子に前記複数の信号光をそれぞれ入射させるステップと
を有することを特徴とする光受信機における調整方法。
【手続補正２】
【補正対象書類名】明細書
【補正対象項目名】０００７
【補正方法】変更
【補正の内容】
【０００７】
本発明に係る光通信システムは、複数の信号光を並列に送信する光送信機と、前記複数の信号光を受信する光受信機と、を備え、前記光送信機は、アレイ状に配置された複数の発光素子からなる発光素子群を含む発光部を備え、前記複数の発光素子は、前記複数の信号光をそれぞれ送信し、前記複数の信号光の各々は、互いを識別可能にする識別用信号光を含み、前記光受信機は、アレイ状に配置された複数の受光素子からなる受光素子群であって前記複数の信号光を受信する前記受光素子群を含み、前記複数の受光素子の各々に入射した光の強度に対応する検出信号が前記複数の受光素子から出力される受光部と、前記受光部上に前記複数の信号光の像からなる像群を形成すると共に前記像群のサイズを変倍する機構と前記受光部上において前記像群の位置を移動させる機構とを有する光学機構と、前記複数の信号光が前記複数の受光素子にそれぞれ入射するように、前記複数の受光素子の各々から出力される前記検出信号に基づいて前記光学機構の動作を制御する制御部と、を備え、前記制御部は、前記光学機構の動作を制御して、前記受光部上の前記像群を前記受光素子群のサイズより小さいサイズに設定し、前記複数の信号光の内の予め定められた信号光が前記受光素子群の予め定められた受光素子に入射するように、縮小された前記像群の位置を移動させ、前記予め定められた信号光が前記予め定められた受光素子に入射したときに、前記縮小された前記像群のサイズを拡大させて、前記複数の受光素子に前記複数の信号光をそれぞれ入射させることを特徴とする。
【手続補正３】
【補正対象書類名】明細書
【補正対象項目名】０００８
【補正方法】変更
【補正の内容】
【０００８】
本発明に係る光受信機は、識別用信号光を含む複数の信号光を並列に受信する光受信機であって、アレイ状に配置された複数の受光素子からなる受光素子群であって前記複数の信号光を受信する前記受光素子群を含み、前記複数の受光素子の各々に入射した光の強度に対応する検出信号が前記複数の受光素子から出力される受光部と、前記受光部上に前記複数の信号光の像からなる像群を形成すると共に前記像群のサイズを変倍する機構と前記受光部上において前記像群の位置を移動させる機構とを有する光学機構と、前記複数の信号光が前記複数の受光素子にそれぞれ入射するように、前記複数の受光素子の各々から出力される前記検出信号に基づいて前記光学機構の動作を制御する制御部と、を備え、前記制御部は、前記光学機構の動作を制御して、前記受光部上の前記像群を前記受光素子群のサイズより小さいサイズに設定し、前記複数の信号光の内の予め定められた信号光が前記受光素子群の予め定められた受光素子に入射するように、縮小された前記像群の位置を移動させ、前記予め定められた信号光が前記予め定められた受光素子に入射したときに、前記縮小された前記像群のサイズを拡大させて、前記複数の受光素子に前記複数の信号光をそれぞれ入射させることを特徴とする。
【手続補正４】
【補正対象書類名】明細書
【補正対象項目名】０００９
【補正方法】変更
【補正の内容】
【０００９】
本発明に係る光受信機における調整方法は、識別用信号光を含む複数の信号光を並列に受信するアレイ状に配置された複数の受光素子からなる受光素子群を含む受光部と、前記受光部上に前記複数の信号光の像からなる像群を形成すると共に前記像群のサイズを変倍する機構と前記受光部上において前記像群の位置を移動させる機構とを有する光学機構とを備え、前記複数の受光素子の各々に入射した光の強度に対応する検出信号に基づいて前記光学機構の動作を制御する光受信機における調整方法であって、前記受光部上の前記像群を前記受光素子群のサイズより小さいサイズに設定するステップと、前記複数の信号光の内の予め定められた信号光が前記受光素子群の予め定められた受光素子に入射するように、縮小された前記像群の位置を移動させるステップと、前記予め定められた信号光が前記予め定められた受光素子に入射したときに、前記縮小された前記像群のサイズを拡大させて、前記複数の受光素子に前記複数の信号光をそれぞれ入射させるステップとを有することを特徴とする。